【手続補正書】
【提出日】平成26年1月24日(2014.1.24)
【手続補正１】
【補正対象書類名】明細書
【補正対象項目名】０２２１
【補正方法】変更
【補正の内容】
【０２２１】
RETは、上記に定義されている通り、水蒸気透過抵抗性を意味する。本発明の実施態様の一部を以下の項目［１］−［３９］に記載する。
［１］
適応可能な断熱を提供する積層構造(10)であって、
-第一の層(22)、
-第二の層(24)、
-該第一の層(22)と該第二の層(24)との間に備えられた少なくとも１つの空洞(16)、
-活性化されていない構成及び活性化された構成を有するガス発生剤(18)であって、空洞(16)内の温度の上昇に応答して、空洞(16)内部のガス圧を増加させるように、該活性化されていない構成から該活性化された構成へ変化するように適合されているガス発生剤(18)、
を含み、
-該第一の層(22)、該第二の層(24)及び該空洞(16)が、該第一の層(22)と該第二の層(24)との間の距離が、空洞(16)内部のガス圧の上昇に応答して増加するように配置されている、積層構造(10)。
［２］
項目１に記載の積層構造(10)であって、
該ガス発生剤の所定の活性化温度を超える該空洞(16)内の温度に応答して、該ガス発生剤(18)が、該空洞(16)内でガスを発生するように適合されている、積層構造(10)。
［３］
項目１又は２に記載の積層構造(10)であって、
該ガス発生剤(18)の該活性化された構成における、該第一の層(22)と該第二の層(24)の間の第二の距離(D1)が、該ガス発生剤(18)の該活性化されていない構成における、該第一の層(22)と該第二の層(24)との間の第一の距離(D0)よりも1mm以上、好ましくは3mm以上大きい、積層構造(10)。
［４］
該空洞(16)を囲んでいるエンベロープ(20)をさらに含む、項目１〜３のいずれか１項に記載の積層構造(10)。
［５］
該エンベロープ(20)が、該空洞(16)の体積が該空洞(16)内部のガス圧の上昇に応答して増加するように構成されている、項目４に記載の積層構造(10)。
［６］
該エンベロープ(20)が流体密封である、項目４又は５に記載の積層構造(10)。
［７］
項目４〜６のいずれか１項に記載の積層構造(10)であって、
該エンベロープ(20)が、該ガス発生剤(18)の該活性化された構成において、該第一の空洞(16)内に生成したガス圧に供されることに対して、非伸縮性の材料で作られている、積層構造(10)。
［８］
項目４〜７のいずれか１項に記載の積層構造(10)であって、
該エンベロープ(20)が、該ガス発生剤(18)の該活性化された構成における、該空洞(16)内のある温度範囲に対して、耐熱性の材料で作られている、積層構造(10)。
［９］
項目４〜８のいずれか１項に記載の積層構造(10)であって、
該エンベロープ(20)が、流体密封の材料の少なくとも１つのエンベロープピース(12、14)で作られており、好ましくは流体密封の材料の少なくとも２つのエンベロープピース(12、14)で作られており、該エンベロープピース(12、14)が液体密封の形で共に接着されている、積層構造(10)。
［１０］
該エンベロープ(20)が、金属/ポリマー複合材料で作られている、項目４〜９のいずれか１項に記載の積層構造(10)。
［１１］
項目１〜１０のいずれか１項に記載の積層構造(10)であって、
該ガス発生剤(18)が、該活性化されていない構成において液体(18a)の形状をしており、該適応可能な断熱の積層構造(10)の該活性化温度が、該ガス発生剤(18)の沸点に対応する、積層構造(10)。
［１２］
項目１１に記載の積層構造(10)であって、
該ガス発生剤(18)が、該活性化されていない構成において固体の形状をしており、該適応可能な断熱の積層構造(10)の該活性化温度が、該ガス発生剤(18)の昇華又は分解温度に対応する、積層構造(10)。
［１３］
項目１１又は１２に記載の積層構造(10)であって、
該ガス発生剤(18)が、200℃より低い、好ましくは30℃〜100℃の、より好ましくは30〜70℃の、さらにより好ましくは40〜60℃の、及び最も好ましくは45℃〜55℃の蒸発温度を有する、積層構造(10)。
［１４］
該液体がCF3CF2C(O)CF(CF3)2を含む、項目１３に記載の積層構造(10)。
［１５］
項目１〜１０のいずれか１項に記載の積層構造(10)であって、
該ガス発生剤(18)が、該活性化されていない構成において、液体、ゲル又は固体の形状であり、該適応可能な断熱の積層構造(10)の該活性化温度が、該ガス発生剤(18)からの少なくとも１つのガス状化合物の放出を引き起こす化学反応の活性化エネルギーに対応する温度である、積層構造(10)。
［１６］
項目４〜１５のいずれか１項に記載の積層構造(10)であって、
該エンベロープ(20)が注入補助物(19)を包含し、該注入補助物(19)が該空洞(16)内に延在しかつ該ガス発生剤(18)が適用される部位を有し、前記部位が該空洞(16)内に包含されている、積層構造(10)。
［１７］
項目１６に記載の積層構造(10)であって、
該注入補助物(19)が、該ガス発生剤(18)の該活性化されていない構成において、該ガス発生剤(18)を吸収することのできる材料で作られている、積層構造(10)。
［１８］
項目１６に記載の積層構造(10)であって、
該注入補助物(19)が、該ガス発生剤(18)の該活性化されていない構成において、該ガス発生剤(18)を吸着することのできる材料で作られている、積層構造(10)。
［１９］
項目１６〜１８のいずれか１項に記載の積層構造(10)であって、
該注入補助物(19)が、該ガス発生剤(18)の該活性化されていない構成において、該空洞(16)より小さい、積層構造(10)。
［２０］
項目１６〜１９のいずれか１項に記載の積層構造(10)であって、
該注入補助物(19)が、該エンベロープ(20)の材料と共に溶接される際に流体密封シールの形成を支持することのできる材料で作られている、積層構造(10)。
［２１］
項目２０に記載の積層構造(10)であって、
該注入補助物(19)が、溶接可能な注入補助物層を形成するシートとして設けられる、積層構造(10)。
［２２］
項目４〜２１のいずれか１項に記載の積層構造(10)であって、
該エンベロープ(20)が、該空洞(16)を第一のサブ空洞(16a)と第二のサブ空洞(16b)とに隔てる中間層(21)を包含する、積層構造(10)。
［２３］
項目２２に記載の積層構造(10)であって、
該中間層(21)が、流体密封の材料で作られており、該エンベロープ(20)の材料と共に溶接される際に流体密封シールの形成を支持するように構成されている、積層構造(10)。
［２４］
該ガス発生剤(18)が、該中間層(21)の片面又は両面に適用される、項目２２又は２３に記載の積層構造(10)。
［２５］
項目４〜２４のいずれか１項に記載の積層構造(10)であって、
共に接着された少なくとも２つのエンベロープ(20a、20b)によって形成されるエンベロープ構造を包含する、積層構造(10)。
［２６］
項目１〜２５のいずれか１項に記載の積層構造(10)であって、
複数の空洞(16)を含み、該空洞(16)のそれぞれが個別のエンベロープ(20)によって包まれており、該エンベロープ(20)がお互いに距離(X)をとって配置されている、積層構造(10)。
［２７］
項目１〜２６のいずれか１項に記載の積層構造(10)であって、
温度の上昇に応答して、該ガス発生剤(18)の該活性化されていない構成における該第一の距離(D0)から該ガス発生剤(18)の該活性化された構成における該第二の距離(D1)まで、及び/又は、温度の低下に応答して、該ガス発生剤(18)の該活性化された構成における該第二の距離(D1)から該ガス発生剤(18)の該活性化されていない構成における該第一の距離(D0)まで、該第一の層(22)と該第二の層(24)との間の該距離(D)を可逆的に変化させるように構成されている、積層構造(10)。
［２８］
項目１〜２７のいずれか１項に記載の積層構造(10)であって、
該空洞(16)が、該ガス発生剤の該活性化されていない構成において、1mm以上の、好ましくは5mm以上の、最も好ましくは15mm以上の横寸法(A0)と、2mm以下の厚さ寸法を有する、積層構造(10)。
［２９］
項目１〜２８のいずれか１項に記載の積層構造(10)であって、
該空洞(16)が、該ガス発生剤(18)の該活性化された構成において、該ガス発生剤(18)の該活性化されていない構成における該空洞(16)の体積に対して、10〜2000の相対的な体積増加を有する、積層構造(10)。
［３０］
適応可能な断熱を提供する積層構造(10)のためのエンベロープ(20)であって、該エンベロープ(20)が、活性化されていない構成及び活性化された構成を有するガス発生剤(18)がその中に包含された少なくとも１つの空洞(16)を囲んでおり、
該ガス発生剤(18)が、該空洞(16)内の温度の上昇に応答して該空洞(16)内部のガス圧を上昇させるように、該活性化されていない構成から該活性化された構成へ変化するように適合されており、
該エンベロープ(20)が、該空洞(16)の体積が該空洞(16)内部のガス圧の上昇に応答して増加するように構成されている、エンベロープ(20)。
［３１］
項目１〜２９のいずれか１項において特定された少なくとも１つの構成要件を含む、項目３０に記載のエンベロープ(20)。
［３２］
複合構造を備える布帛(50)であって、該複合構造が、項目１〜２９のいずれか１項に記載の適応可能な断熱を提供する積層構造(10)、又は項目３０若しくは３１に記載の適応可能な断熱を提供する積層構造(10)のためのエンベロープを含む、布帛(50)。
［３３］
項目３２に記載の布帛(50)であって、
お互いに配置された複数の布帛層を含み、前記複数の布帛層が外側及び内側を有する外側の防熱殻構造(36)を包含し、適応可能な断熱(16、18、22、24)を提供する該積層構造(10)が該外側の防熱殻構造(36)の該内側上に配置されている、布帛(50)。
［３４］
項目３２又は３３に記載の布帛(50)であって、
バリア構造(38)をさらに含み、該バリア構造(38)が該外側の防熱殻構造(36)の該内側上に配置されている、布帛(50)。
［３５］
項目３４に記載の布帛(50)であって、
該バリア構造(38)が、少なくとも１つの水蒸気透過性かつ防水性の層(40)を含み、該水蒸気透過性かつ防水性の層(40)が水蒸気透過性かつ防水性の膜(44)を含む、布帛(50)。
［３６］
項目３４又は３５に記載の布帛(50)であって、
該バリア構造(38)が、該外側の防熱殻構造(36)と、適応可能な断熱(16、18、22、24)を提供する該積層構造(10)との間に位置する、布帛(50)。
［３７］
項目３２〜３６のいずれか１項に記載の布帛(50)であって、
最も内側のライナー(24)をさらに含み、適応可能な断熱(16、18、22、24)を提供する該積層構造(10)が、該最も内側のライナー(24)を包含するか、又は該最も内側のライナー(48)に隣接して配置されている、布帛(50)。
［３８］
防火服における使用に適合されている、項目３２〜３７のいずれか１項に記載の布帛(50)。
［３９］
項目３２〜３８のいずれか１項に記載の布帛(50)であって、
該布帛が30m2Pa/Wより小さい、好ましくは20m2Pa/Wより小さいRetを有する、布帛(50)。
【手続補正２】
【補正対象書類名】特許請求の範囲
【補正対象項目名】全文
【補正方法】変更
【補正の内容】
【特許請求の範囲】
【請求項１】
適応可能な断熱を提供する積層構造(10)であって、
-第一の層(22)、
-第二の層(24)、
-該第一の層(22)と該第二の層(24)との間に備えられた少なくとも１つの空洞(16)、
-活性化されていない構成及び活性化された構成を有するガス発生剤(18)であって、空洞(16)内の温度の上昇に応答して、空洞(16)内部のガス圧を増加させるように、該活性化されていない構成から該活性化された構成へ変化するように適合されているガス発生剤(18)、
を含み、
-該第一の層(22)、該第二の層(24)及び該空洞(16)が、該第一の層(22)と該第二の層(24)との間の距離(D)が該空洞(16)内部のガス圧の上昇に応答して増加するように配置されており、該積層構造(10)が、温度の上昇に応答して、該ガス発生剤(18)の該活性化されていない構成における第一の距離(D0)から該ガス発生剤(18)の該活性化された構成における第二の距離(D1)まで、及び/又は温度の低下に応答して、該ガス発生剤(18)の該活性化された構成における該第二の距離(D1)から該ガス発生剤(18)の該活性化されていない構成における該第一の距離(D0)まで、該第一の層(22)と該第二の層(24)との間の該距離(D)を可逆的に変化させるように構成されている、積層構造(10)。
【請求項２】
請求項１に記載の積層構造(10)であって、
該ガス発生剤(18)の該活性化された構成における、該第一の層(22)と該第二の層(24)の間の該第二の距離(D1)が、該ガス発生剤(18)の該活性化されていない構成における、該第一の層(22)と該第二の層(24)との間の該第一の距離(D0)よりも1mm以上大きい、積層構造(10)。
【請求項３】
該空洞(16)を囲んでいるエンベロープ(20)をさらに含み、該エンベロープ(20)が、該空洞(16)の体積が該空洞(16)内部のガス圧の上昇に応答して増加するように、及び/又は該空洞(16)の体積が該空洞(16)内部のガス圧の低下に応答して減少するように、可逆的に変化するように構成されている、請求項１又は２のいずれかに記載の積層構造(10)。
【請求項４】
該エンベロープ(20)が流体密封である、請求項３に記載の積層構造(10)。
【請求項５】
請求項３又は４のいずれかに記載の積層構造(10)であって、
該エンベロープ(20)が、該ガス発生剤(18)の該活性化された構成において、該第一の空洞(16)内に生成したガス圧に供されることに対して、非伸縮性の材料で作られている、及び/又は該エンベロープ(20)が、該ガス発生剤(18)の該活性化された構成における、該空洞(16)内のある温度範囲に対して、耐熱性の材料で作られている、積層構造(10)。
【請求項６】
該エンベロープ(20)が、金属/ポリマー複合材料で作られている、請求項３〜５のいずれか１項に記載の積層構造(10)。
【請求項７】
請求項１〜６のいずれか１項に記載の積層構造(10)であって、
該ガス発生剤(18)が、該活性化されていない構成において液体(18a)の形状をしており、該適応可能な断熱の積層構造(10)の該活性化温度が、該ガス発生剤(18)の沸点に対応し、該ガス発生剤(18)が、200℃より低い蒸発温度を有する、積層構造(10)。
【請求項８】
該液体がCF3CF2C(O)CF(CF3)2を含む、請求項７に記載の積層構造(10)。
【請求項９】
請求項３〜８のいずれか１項に記載の積層構造(10)であって、
該エンベロープ(20)が注入補助物(19)を包含し、該注入補助物(19)が該空洞(16)内に延在しかつ該ガス発生剤(18)が適用される部位を有し、前記部位が該空洞(16)内に包含されている、積層構造(10)。
【請求項１０】
請求項３〜９のいずれか１項に記載の積層構造(10)であって、
共に接着された少なくとも２つのエンベロープ(20a、20b)によって形成されるエンベロープ構造を包含する、積層構造(10)。
【請求項１１】
請求項１〜１０のいずれか１項に記載の積層構造(10)であって、
複数の空洞(16)を含み、該空洞(16)のそれぞれが個別のエンベロープ(20)によって包まれており、該エンベロープ(20)がお互いに距離(X)をとって配置されている、積層構造(10)。
【請求項１２】
請求項１〜１１のいずれか１項に記載の積層構造(10)であって、
該空洞(16)が、該ガス発生剤の該活性化されていない構成において、1mm以上の横寸法(A0)と、2mm以下の厚さ寸法を有する、積層構造(10)。
【請求項１３】
請求項１〜１２のいずれか１項に記載の積層構造(10)であって、
該空洞(16)が、該ガス発生剤(18)の該活性化された構成において、該ガス発生剤(18)の該活性化されていない構成における該空洞(16)の体積に対して、10〜2000の相対的な体積増加を有する、積層構造(10)。
【請求項１４】
請求項１〜１３のいずれか１項に記載の適応可能な断熱を提供する積層構造(10)のためのエンベロープ(20)であって、該エンベロープ(20)が、活性化されていない構成及び活性化された構成を有するガス発生剤(18)がその中に包含された少なくとも１つの空洞(16)を囲んでおり、
該ガス発生剤(18)が、該空洞(16)内の温度の上昇に応答して該空洞(16)内部のガス圧を上昇させるように、該活性化されていない構成から該活性化された構成へ変化するように適合されており、
該エンベロープ(20)が、該空洞(16)の体積が該空洞(16)内部のガス圧の上昇に応答して増加するように、及び/又は該空洞(16)の体積が該空洞(16)内部のガス圧の低下に応答して減少するように、可逆的に変化するように構成されている、エンベロープ(20)。
【請求項１５】
複合構造を備える布帛(50)であって、該複合構造が、請求項１〜１３のいずれか１項に記載の適応可能な断熱を提供する積層構造(10)、又は請求項１４に記載のエンベロープを含む、布帛(50)。